【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
通信システムにおける基地局と複数のリモート局との間でのＨＳＤＰＡ（High  Speed  Down  Link  Packet  Access）通信のための方法であって、
前記基地局で、第一のデータパケットを前記複数のリモート局に送信することで、前記基地局によりリソースを割り当てるステップと、前記第一のデータパケットは、後続するダウンリンクリソースを割り当て、
前記リモート局で、前記第一のデータパケットを受信するステップとを含み、
当該方法は、
前記基地局で、第二のデータパケットを割り当てられたリソースで前記リモート局に送信するステップと、前記第二のデータパケットは、複数の通信レイヤのＭＡＣレイヤ又は上位レイヤに伝達されるべきデータを含まず、
前記リモート局で、前記割り当てられたリソースで前記第二のデータパケットを受信し、これに応じて、チャネル品質情報を前記基地局に送信するステップと、
前記基地局で、前記第一及び第二のデータパケットの送信に応じて、前記リモート局からチャネル品質情報を受信し、受信されたチャネル品質情報を使用して、前記ＨＤＰＡ通信を制御するステップと、
を含むことを特徴とする方法。
【請求項２】
受信されたチャネル品質情報を使用して、前記ＨＳＤＰＡ通信を制御する前記ステップは、
Ａ）前記複数のリモート局との前記ＨＳＤＰＡ通信を計画するステップと、
Ｂ）前記複数のリモート局との前記ＨＳＤＰＡ通信のチャネル符号化を決定するステップと、
Ｃ）前記複数のリモート局との前記ＨＳＤＰＡ通信に適用される変調を決定するステップと、
のうちの少なくとも１つを含む、
請求項１記載の方法。
【請求項３】
データパケットは、誤った巡回冗長検査を含む、
請求項１又は２記載の方法。
【請求項４】
データパケットの符号化レートは、１よりも大きい、
請求項１乃至３のいずれか記載の方法。
【請求項５】
リソースを割り当てる前記ステップは、前記基地局が、無効なハイブリッド自動再送信要求プロセスを割り当てられたメッセージで前記リモート局に送信するステップを含む、
請求項１乃至４のいずれか記載の方法。
【請求項６】
前記データパケットは、高速のダウンリンク共有チャネルのパケットである、
請求項１乃至５のいずれか記載の方法。
【請求項７】
前記基地局は、高速のメディアアクセスコントロール・サービスデータユニットのパケットを送出する、
請求項１乃至６のいずれか記載の方法。
【請求項８】
前記基地局は、高速の共有情報チャネルのパケットを含む応答メッセージで、チャネル制御情報を受信する、
請求項１乃至７のいずれか記載の方法。
【請求項９】
前記リモート局は、チャネル品質情報メッセージを生成するために前記基地局により少なくとも１つが使用される複数のブロックに区分されるハイブリッド自動再送信要求バッファメモリを有する、
請求項１乃至８のいずれか記載の方法。
【請求項１０】
前記システムは、チャネル品質情報メッセージのパーティションへの送信を中止する、
請求項９記載の方法。
【請求項１１】
前記基地局は、リモート局からの応答がない場合に低いチャネル品質を仮定する、
請求項１乃至１０のいずれか記載の方法。
【請求項１２】
前記基地局は、リモート局からチャネル品質リポートを要求すべき時間をスケジュールする、
請求項１乃至１１のいずれか記載の方法。
【請求項１３】
前記基地局は、ラウンドロビン方式でチャネル品質の要求をスケジュールする、
請求項１２記載の方法。
【請求項１４】
前記基地局がリモート局に送信されるべきペンディングデータを有するときにのみ、前記基地局は、ラウンドロビン方式でリモート局へのチャネル品質要求をスケジュールする、
請求項１３記載の方法。
【請求項１５】
前記基地局は、
Ｄ）最後のチャネル品質の指示の要求からの時間、
Ｅ）ペンディングデータの量、
Ｆ）前のチャネル品質の指示の要求の結果、
のうちの１以上の関数からなるプロポーショナルフェア・スケジューリングメトリックを使用して、チャネル品質の報告をスケジュールする、
請求項１２記載の方法。
【請求項１６】
前記基地局は、前記リモート局での既知のチャネルタイプに基づいてチャネル品質の要求をスケジュールする、
請求項１２記載の方法。
【請求項１７】
前記基地局は、瞬間的なチャネル品質の報告が後続するとき、増加するスループットを示すリモート局へのチャネル品質の要求を優先する、
請求項１２記載の方法。
【請求項１８】
前記システムは３ＧＰＰ  ＵＭＴＳ（3rd  Generation  Partnership  Project  Universal  Mobile  Telecommunications  System）を含む、
請求項１乃至１７のいずれか記載の方法。
【請求項１９】
前記３ＧＰＰ  ＵＭＴＳは、時間分割複信システムを含む、
請求項１８記載の方法。
【請求項２０】
通信システムにおける複数のリモート局とのＨＳＤＰＡ（High  Speed  Down  Link  Packet  Access）通信のための基地局であって、
当該基地局は、
第二のデータパケットをリモート局に割り当てられたリソースで送信するために構成される送信機と、前記第二のデータパケットは、複数の通信レイヤのＭＡＣレイヤ又は上位レイヤに伝達されるべきデータを含まず、
前記第一及び第二のデータパケットの送信に応答して送出されるリモート局からのチャネル品質情報を受信するために構成される受信機と、
受信されたチャネル品質情報を使用して、前記ＨＳＤＰＡ通信を制御する手段とを含み、
ことを特徴とする基地局。
【請求項２１】
請求項２０記載の基地局との使用のために適合されるリモート局。
【請求項２２】
請求項２０記載の基地局を有し、ＨＳＤＰＡ（High  Speed  Down  Link  Packet  Access）通信のためのシステム。
【請求項２３】
請求項１乃至１９のいずれかの方法を実質的に実行するためのコンピュータプログラム手段を有するコンピュータプログラムエレメント。
【手続補正２】
【補正対象書類名】明細書
【補正対象項目名】００１５
【補正方法】変更
【補正の内容】
【００１５】
本発明の第一の態様によれば、請求項１記載のＨＳＤＰＡ通信のための方法が提供される。本発明の第二の態様によれば、請求項２０記載のＨＳＤＰＡ通信のための基地局が提供される。本発明の第三の態様によれば、請求項２１記載のＨＳＤＰＡ通信のためのリモート局が提供される。本発明の第四の態様によれば、請求項２２記載のＨＳＤＰＡ通信のためのシステムが提供される。本発明の第五の態様によれば、請求項２３記載のコンピュータプログラムエレメントが提供される。
【手続補正３】
【補正対象書類名】明細書
【補正対象項目名】００５９
【補正方法】変更
【補正の内容】
【００５９】
代替的に、ノードＢは、所定のＵＥを何時スケジュールするかを判定し、それらのＵＥに積極的な割り当てをなすため、チャネル品質情報を使用する場合がある。ノードＢは、ユーザデータの送信用に使用される物理リソースにＣＱＩ要求が実行されるか、又は、それぞれの物理リソースへの干渉がその物理リソースのタイムスロット又はコードに相関しないことをノードＢが信じるとき、この方策を適合するために選択される場合がある。